(57)【特許請求の範囲】
【請求項１】
求職データを管理するコンピュータによる求職データ管理方法であって、
前記コンピュータが、
求職者側端末から、求職データを受信する受信ステップと、
求職者に係る個人特定情報と就業に係る就業情報とを含む求職データと該求職者が記入した筆跡のイメージデータの識別子とを関連付けて記録した求職データＤＢを検索し、前記受信ステップで受信された求職データに対応する該求職者によって過去に登録された過去の求職データが存在する場合は、前記受信ステップで受信された求職データから該過去の求職データに対応するイメージデータの識別子とを関連付けて前記求職データＤＢに格納し、前記受信ステップで受信された求職データに対応する過去の求職データが存在しない場合は、前記受信ステップで受信された求職データとイメージデータなしを示す識別子とを関連付けて前記求職データＤＢに格納する格納ステップと、
を含むことを特徴とする求職データ管理方法。
【請求項２】
前記求職データＤＢの検索要求を受け付け、該検索要求によって受け付けた前記求職データに対して発行された求職番号と一致する求職データを検索するとともに、該求職データに対応するイメージデータをイメージデータＤＢから読み出し、該求職データと該イメージデータとを表示するステップを含むことを特徴とする請求項１記載の求職データ管理方法。
【請求項３】
前記格納ステップにおいて、前記求職データと前記イメージデータなしを示す識別子とを関連付けて前記求職データＤＢに格納された場合に、該求職データによって示される前記求職者の電子メールアドレスへイメージデータが無いことを示す電子メールを送信するステップを含むことを特徴とする請求項１記載の求職データ管理方法。
【発明の詳細な説明】
【０００１】
【発明の属する技術分野】
本発明は求職データ管理方法に係り、特に、公共職業安定所（ハローワーク、人材銀行、地方自治体で運営する公的な職業紹介機関全般を含む。）に登録する求職データを管理する求職データ管理方法に関する。
【０００２】
また、本発明は、そのような求職データ管理方法における処理をコンピュータに行わせるためのプログラムに関する。
【０００３】
【従来の技術】
従来、公共職業安定所は、各地方自治体に設けられ、公共職業安定所の所轄の地域に在住する求職者に職を紹介する業務を運用している。近年、日本の終身雇用、年功序列の崩壊や労働意識の変化、雇用流動化、経済不況により、失業者やフリータ層が増加している。このため、公共職業安定所に職を求める求職者が増加し、また、求職者が多様化している。このような社会状況により、公共職業安定所では多様な求職者の要求への早急な対応が求められている。
【０００４】
また、求職者が公共職業安定所の職の紹介を受ける場合、直接公共職業安定所に出向いて所定の申込用紙に記入し、求職データとして登録している。求職データには、氏名や住所等の必要事項について求職者が記入した筆跡のイメージデータがＯＣＲ（Ｏｐｔｉｃａｌ  Ｃｈａｒａｃｔｅｒ  Ｒｅａｄｅｒ）装置を用いて取り込まれる。公共職業安定所では、イメージデータが求人者（人事担当者）や公共職業安定所の係員により求職者の人物像や性格などを判断する材料として使用されている。
【０００５】
【発明が解決しようとする課題】
しかしながら、公共職業安定所では、総定員法等の規制により、求職者の増加に対応するために係員数を増やすことができない。従って、公共職業安定所での業務が滞るために求職者へ早急に職を紹介することができないという問題点があった。
【０００６】
また、求職者が公共職業安定所の職の紹介を受けるために求職データを登録する場合、直接公共職業安定所に出向かなければならないという問題点があった。
【０００７】
これらの問題点を解決するために、ネットワークを介して、求職者の所有する端末から求職データを登録する場合が考えられている。しかしながら、上記のようにイメージデータを付加した求職データを登録するためには、求職者側でイメージデータを取り込むＯＣＲ装置が必要となる。このようなＯＣＲ装置を求職者個人で所有している場合は少ない。また、ネットワークを介してＯＣＲ装置で取り込んだイメージデータを付加した求職データを送信するには、通信負荷や通信コストがかかってしまう。そのため、公共職業安定所にイメージデータを付加した求職データを登録するのは難しいという問題点があった。
【０００８】
そこで、本発明の課題は、過去に登録したイメージデータを援用し、ネットワークを介して求職データを登録することができる求職データ管理方法及びその方法における処理をコンピュータに行わせるためのプログラムを提供することである。
【０００９】
【課題を解決するための手段】
上記の課題を解決するため、本発明は、求職データを管理するコンピュータによる求職データ管理方法であって、前記コンピュータが、求職者側端末から、求職データを受信する受信ステップと、求職者に係る個人特定情報と就業に係る就業情報とを含む求職データと該求職者が記入した筆跡のイメージデータの識別子とを関連付けて記録した求職データＤＢを検索し、前記受信ステップで受信された求職データに対応する該求職者によって過去に登録された過去の求職データが存在する場合は、前記受信ステップで受信された求職データから該過去の求職データに対応するイメージデータの識別子とを関連付けて前記求職データＤＢに格納し、前記受信ステップで受信された求職データに対応する過去の求職データが存在しない場合は、前記受信ステップで受信された求職データとイメージデータなしを示す識別子とを関連付けて前記求職データＤＢに格納する格納ステップと、を含む構成とされる。
【００１０】
このような求職データ管理方法では、求職者が登録した求職データを取得し、求職者の直筆をイメージ化した直筆イメージを管理すると共に、求職データに直筆イメージを識別する識別子を対応させて登録することにより、過去に登録したイメージデータを援用し、ネットワークを介して求職データを登録することができる。
【００１１】
また、上記課題を解決するため、本発明は、上記求職データ管理方法による処理をコンピュータに行なわせるためのプログラム及びそのプログラムを記録した記録媒体とすることもできる。
【００１２】
【発明の実施の形態】
以下、本発明の実施の形態を図面に基づいて説明する。
【００１３】
図１は、本発明の実施の第１実施例に係る求職データ管理方法におけるシステム構成図を示している。図１において、求職データ管理方法における求職データ管理システム１０は、公共職業安定所が所有する複数の求職データ受理装置２０と、各求職データ受理装置２０に接続されたホストコンピュータ２５と、全国の求職者からの求職データを受理する求職データ受理サーバ３０と、求職者が所有する求職者側端末４０ａ〜４０ｎとで構成されるシステムである。
【００１４】
図１において、求職データ受理装置２０、求職データ受理サーバ３０、求職者側端末４０ａ〜４０ｎは、サーバコンピュータであって、ＣＰＵ（中央処理装置）によって各構成が制御される。ＣＰＵは、メモリユニットに格納されたプログラムに従って求職データ管理方法での処理を行う。ネットワーク１を介して求職データ受理装置２０、求職データ受理サーバ３０、求職者側端末４０ａ〜４０ｎとが接続される。
【００１５】
求職データ受理装置２０は、主に、求職データ管理処理を実行するプログラムをインストールするインストーラ１１と、データの表示を制御する表示制御処理部１２と、データ通信を制御する通信制御処理部１３と、データの入出力を制御する入出力制御処理部１４と、求職データを取得する求職データ取得処理部２１と、過去に格納された求職者が入力した直筆のイメージデータを援用するイメージデータ援用処理部２２と、求職データを登録する求職データ登録処理部２３、求職者の電子メールアドレスに電子メールを送信し、求職者に求職データに関する旨を通知する通知処理部２４とを有する。また、ホストコンピュータ２５は、求職データを格納する求職データＤＢ２６と、求職データに関連付けられたイメージデータを格納するイメージデータＤＢ２７とを有する。
【００１６】
通信制御処理部１３は、ネットワーク１を介して送受信データを制御する処理部であって、ネットワーク網に接続するための通信ユニットを有する。表示制御処理部１２は、ディスプレイ等の表示ユニットを有し、表示用データを制御して該表示ユニットに表示させる。入出力制御処理部１４は、マウス、キーボード等の入力ユニット及びプリンタ等の出力ユニットを制御し、データの入出力を制御する。インストーラ１１は、本発明の一実施例に係る求職データ管理方法を実現するためのプログラムが記録されたＣＤ−ＲＯＭ５０から該プログラムを読み出し、その読み出されたプログラムを、例えば、補助記憶装置等にインストールする。そして、後述される求職データ管理方法における処理が起動されると、補助記憶装置にインストールされた当該プログラムに従って、ＣＰＵがその処理を開始する。尚、当該プログラムを格納する媒体としてＣＤ−ＲＯＭに限定するものではなく、コンピュータが読み取り可能な媒体であればよい。
【００１７】
求職データ取得処理部２１は、求職受理サーバ３０に求職データを要求し、求職データを取得すると共に、ホストコンピュータ２５の求職データＤＢ２６に格納する。イメージデータ援用処理部２２は、イメージデータＤＢ２７に格納されたイメージデータを検索し、求職データにイメージデータの識別子を設定する。求職データ登録処理部２３は、イメージデータの識別子を設定した求職データを格納する。通知処理部２４は、求職データに格納された求職者の電子メールアドレスに求職データに関する旨の電子メールを送信する。
【００１８】
求職データ受理サーバ３０は、主に、求職データ管理処理を実行するプログラムをインストールするインストーラ１１と、データの表示を制御する表示制御処理部１２と、データ通信を制御する通信制御処理部１３と、データの入出力を制御する入出力制御処理部１４と、求職データを受信する求職データ受信処理部３１と、求職データの入力がＯＫかを判断する判断処理部３２と、求職データの受理番号を発番する受理番号発番処理部３３と、求職データを受理する求職データ受理処理部３４と、求職データを格納する求職データＤＢ３５とを有する。求職データ受理サーバ３０のインストーラ１１、表示制御処理部１２、通信制御処理部１３、入出力制御処理部１４は、求職データ受理装置２０のインストーラ１１、表示制御処理部１２、通信制御処理部１３、入出力制御処理部１４と同様の機能を有するため、同符号を付して説明を省略する。また、求職者側端末４０ａ〜４０ｎのそれぞれは、表示制御処理部１２、通信制御処理部１３、入出力制御処理部１４を有するため、説明を省略する。
【００１９】
求職データ受信処理部３１は、求職者側端末４０ａ〜４０ｎから求職データを取得する。判断処理部３２は、求職者側端末４０ａ〜４０ｎから取得した求職データ求職データの入力がＯＫかを判断する。受理番号発番処理部３３は、求職データの受理番号を発番する。求職データ受理処理部３４は、受理番号と共に求職データを求職データＤＢ３５に格納する。
【００２０】
図２は、求職者側端末に表示される画面例を示す図である。図２において、求職データ入力画面４００には、入力域４０１〜４０８と、送信ボタン４１０と、取消ボタン４１１とが表示されている。入力域４０１には、求職者の氏名（フリガナ、漢字）、性別、年齢、生年月日を入力する領域が表示される。入力域４０２には、求職者の最終学歴のチェック欄と、職業訓練（受講済内容、受講希望内容）を入力する領域とが表示される。入力域４０３には、求職者の住所（郵便番号、住所、最寄駅）を入力する領域が表示される。入力域４０４には、求職者の希望条件（就業形態（一般／パート／季節労働）、仕事、勤務地、収入）を入力する領域が表示される。入力域４０５には、求職者の免許資格を入力する領域が表示される。入力域４０６には、求職者の自己アピール情報を入力する領域が表示される。入力域４０７には、求職者のｅ−ｍａｉｌアドレスを入力する領域が表示される。入力域４０８には、求職者の過去求職番号を入力する領域が表示される。求職者が入力域４０１〜４０８に入力を完了した後、送信ボタン４１０を選択し、求職データ受理サーバ３０に送信する。求職者が入力域４０１〜４０８の入力を取り消す場合、取消ボタン４１１を選択する。
【００２１】
図３は、求職データ受理サーバの求職データＤＢに格納されるテーブルを示す図である。図３において、求職データＤＢ３５のテーブル３５０は、求職データ受理サーバ３０の求職データ受信処理部３１、判断処理部３２、受理番号発番処理部３３、求職データ受理処理部３４により、求職者側端末４０ａ〜４０ｎから送信された求職データが格納される。テーブル３５０には、受理番号発番処理部３３により発番された受理番号、求職番号、氏名（フリガナ、漢字）、年齢、生年月日、性別、住所、最寄駅、最終学歴・職業訓練、免許資格、最終／現在職業、希望条件（就業形態、仕事、勤務地、収入）、自己アピール情報、ｅ−ｍａｉｌアドレス、過去求職番号、住所氏名イメージデータ識別子情報とが格納されている。
【００２２】
例えば、テーブル３５０には、受理番号「０００１」、氏名「アカキイチロウ、赤木一郎」、年齢「３１」、生年月日「１９７１／０１／１５」、性別「男」、住所「大塚１−１−１」、最寄駅「大塚」、最終学歴・職業訓練「高専」、免許資格「１種」、最終／現在職業「ＳＥ」、希望条件（就業形態「一般」、仕事「システム運用」、勤務地「蒲田」、収入「４０」）、自己アピール情報「健康です」、ｅ−ｍａｉｌアドレス「ａｋａｋｉ＠ｘｘ．ｃｏｍ」、過去求職番号「１３０１０−０９５０２０１３」とが格納されている。また、受理番号３５１には求職データ受理装置２０で発番された番号、住所氏名イメージデータ識別子情報３５２には求職データ受理装置２０で援用するイメージデータの識別子が格納される。
【００２３】
図４は、ホストコンピュータの求職データＤＢに格納されるテーブルを示す図である。図４において、求職データＤＢ２６のテーブル２６０は、求職データ受理装置２０の求職データ取得処理部２１、イメージデータ援用処理部２２、求職データ登録処理部２３により、求職データ受理サーバ３０から送信された所定地域、即ち、求職データ受理装置２０が設置された地域に居住する求職者の求職データが格納される。テーブル２６０には、受理番号、求職番号、氏名（フリガナ、漢字）、年齢、生年月日、性別、住所、最寄駅、最終学歴・職業訓練、免許資格、最終／現在職業、希望条件（就業形態、仕事、勤務地、収入）、自己アピール情報、ｅ−ｍａｉｌアドレス、過去求職番号、住所氏名イメージデータ識別子情報とが格納されている。
【００２４】
例えば、テーブル２６０には、受理番号「０００１」、求職番号「１３０１０−０００２３０２３」、氏名「アカキイチロウ、赤木一郎」、年齢「３１」、生年月日「１９７１／０１／１５」、性別「男」、住所「大塚１−１−１」、最寄駅「大塚」、最終学歴・職業訓練「高専」、免許資格「１種」、最終／現在職業「ＳＥ」、希望条件（就業形態「一般」、仕事「システム運用」、勤務地「蒲田」、収入「４０」）、自己アピール情報「健康です」、ｅ−ｍａｉｌアドレス「ａｋａｋｉ＠ｘｘ．ｃｏｍ」、過去求職番号「１３０１０−０９５０２０１３」、住所氏名イメージデータ識別子情報「ｉｍｇ１３０１００９５０２０１３１」とが格納されている。また、受理番号２６１には求職データ登録処理部２３で発番された番号、住所氏名イメージデータ識別子情報２６２には求職データ援用処理部２２により援用するイメージデータの識別子が格納される。
【００２５】
図５は、イメージデータＤＢに格納されるイメージデータ例を示す図である。図５（Ａ）は求職者が入力した直筆のイメージデータが格納されている場合を示し、図５（Ｂ）は求職者が入力した直筆のイメージデータが格納されていない場合を示している。図５（Ａ）に示すイメージデータ２７０は、住所氏名イメージデータ識別子情報２７１、氏名格納領域２７２、住所格納領域２７３とで構成されている。例えば、氏名格納領域２７２には、イメージデータで「赤木一郎」が格納され、住所格納領域２７３には、イメージデータで「大塚１−１−１」が格納されている。住所氏名イメージデータ識別子情報２７１には「ｉｍｇ０９５０２０１３１」が格納されており、図４に示す求職データと氏名格納領域２７２、住所格納領域２７３に格納されたイメージデータとが関連付けられている。
【００２６】
図６は、求職データ受理装置に表示される画面例を示す図である。図６において、求職データ設定画面２００には、表示域２０１と、チェック欄２０４と、正式受理ボタン２０５と、取消ボタン２０６とが表示されている。表示域２０１には、受理番号、求職番号、氏名（フリガナ、漢字）、年齢、生年月日、性別、住所、最寄駅、最終学歴・職業訓練、免許資格、最終／現在職業、希望条件（就業形態、仕事、勤務地、収入）、自己アピール情報、ｅ−ｍａｉｌアドレス、過去求職番号、住所氏名イメージデータ識別子情報とが表示されている。
【００２７】
例えば、表示域２０１には、受理番号「０００１」、氏名「アカキイチロウ、赤木一郎」、年齢「３１」、生年月日「１９７１／０１／１５」、性別「男」、住所「大塚１−１−１」、最寄駅「大塚」、最終学歴・職業訓練「高専」、免許資格「１種」、最終／現在職業「ＳＥ」、希望条件（就業形態「一般」、仕事「システム運用」、勤務地「蒲田」、収入「４０」）、自己アピール情報「健康です」、ｅ−ｍａｉｌアドレス「ａｋａｋｉ＠ｘｘ．ｃｏｍ」、過去求職番号「１３０１０−０９５０２０１３」とが表示されている。求職データを正式に受理する場合、例えば、受理番号「０００１」の求職データのチェック欄２０４を設定し、正式受理ボタン２０５を選択する。また、チェック欄２０４の設定を取り消す場合、取消ボタン２０６を選択する。
【００２８】
次に、求職データ管理方法の処理手順について説明する。
【００２９】
図７〜図９は、求職データ管理処理を説明するためのフローチャート図である。図７において、先ず、ステップＳ１の処理で、求職者により求職者側端末４０ａ〜４０ｎに求職データが入力され、求職データ受理サーバ３０へ送信される。ステップＳ２の処理で、求職データ受理サーバ３０の求職データ受信処理部３１により求職データ受理サーバ３０への求職データを受信する。ステップＳ３の処理で、求職データ受理サーバ３０の判断処理部３２により受信した求職データの入力がＯＫか否かを判断する。ステップＳ３の処理で求職データの入力がＯＫでない場合、ステップＳ４の処理で、求職データがＮＧである旨の電子メールを求職者側端末４０ａ〜４０ｎに送信する。ステップＳ３の処理で求職データの入力がＯＫの場合、ステップＳ５の処理で、求職データ受理サーバ３０の求職データの受理番号が発番される。ステップＳ６の処理で、求職データ受理処理部３４により求職データＤＢ３５に受理番号が格納される。
【００３０】
また、ステップＳ７の処理で、求職データ受理装置２０から求職データ受理サーバ３０へ所定地域に在住する求職者の求職データを要求する。ステップＳ８の処理で、求職データ受理サーバ３０は求職データ受理装置２０の要求に応じて求職データを抽出する。ステップＳ９の処理で、抽出した求職データを求職データ受理サーバ３０から求職データ受理装置２０に送信する。ステップＳ１０の処理で、求職データ受理装置２０が求職データを取得する。
【００３１】
次に、図８において、ステップＳ１１の処理で、求職データ受理装置２０に取得した求職データが表示される。ステップＳ１２の処理で、イメージデータ援用処理部２２により過去の求職データがあるか否かを判断する。ステップＳ１２の処理で過去の求職データがない場合、ステップＳ１７の処理を行う。ステップＳ１２の処理で過去の求職データがある場合、ステップＳ１３の処理で、イメージデータ援用処理部２２によりホストコンピュータ２５のイメージデータＤＢ２７に基づいて過去のイメージデータが検索される。
ステップＳ１５の処理で、イメージデータ援用処理部２２により取得した求職データの氏名、住所が、過去のイメージデータの氏名、住所と一致するか否かを判断する。ステップＳ１５の処理で取得した求職データと過去のイメージデータの氏名、住所が一致する場合、ステップＳ１６の処理でイメージデータ援用処理部２２により求職データＤＢ２６にイメージデータを識別する識別子が格納される。ステップＳ１５の処理で取得した求職データと過去のイメージデータの氏名、住所が一致しない場合、ステップＳ１７の処理でイメージデータ援用処理部２２により求職データＤＢ２６にイメージデータ無しを示す識別子が格納される。
【００３２】
次に、ステップＳ１７の処理で求職データＤＢ２６にイメージデータ無しを示す識別子が格納された場合、図９に示すステップＳ２０の処理が行われる。ステップＳ２０の処理で求職データ受理装置２０の通知処理部２４により、求職データに格納されたｅ−ｍａｉｌアドレスに過去の求職データ無しを示す電子メール、又はイメージデータ無しを示す電子メールを送信する。ステップＳ２１の処理で、求職者側端末４０ａ〜４０ｎで求職データ受理装置２０からの電子メールを受信する。
【００３３】
また、図８に示すステップＳ１６の処理で求職データＤＢ２６にイメージデータの識別子が格納された場合、図９に示すステップＳ２２の処理で求職データ受理装置２０の求職データ登録処理部２３により求職番号が発番され、ホストコンピュータ２５の求職データＤＢ２６に格納される。
【００３４】
次に、本発明の第２実施例について説明する。
【００３５】
上記第１実施例では、求職データ受理装置２０が求職データ受理サーバ３０から求職データを取得する際に求職データとイメージデータとを関連付ける方法について説明したが、第２実施例では、求職データ受理装置２０にて求職データ受理サーバ３０から取得した求職データを表示させる際に求職データとイメージデータとを関連付ける方法について説明する。
【００３６】
図１０は、本発明の第２実施例に係る求職データ管理方法におけるシステム構成図である。図１０において、求職データ管理システム１００は、図１に示す求職データ管理システム１０と求職データ受理装置２０の求職データ表示処理部２８、イメージデータリンク処理部２９とを有する点で異なる。図１に示す同様の構成については同符号を付して説明を省略する。
【００３７】
求職データ受理装置２０の求職データ表示処理部２８は、図１１に示す検索画面を表示すると共に、求職データ受理装置２０で入力された検索条件の求職番号に基づいて、検索結果を求職データ受理装置２０の画面に表示する。また、イメージデータリンク処理部２９は、検索条件の求職番号に基づいて検索された求職データにイメージデータ有を示す識別子が設定されていない場合、ホストコンピュータ２５のイメージデータＤＢ２７とリンクさせて、新たに登録されたイメージデータを求職データ受理装置２０の画面に表示させる。
【００３８】
図１１は、求職データ受理装置に表示される画面例を示す図である。図１１において、検索画面２１０には、検索条件入力欄２１１と、検索実行ボタン２１２と、表示域２１３〜２２０とが表示される。検索条件入力欄２１１は、検索する求職データの求職番号を入力する。求職番号を入力した後、検索実行ボタン２１２を選択すると、求職データ表示処理部２８により入力された求職番号に基づいて、表示域２１３〜２２０に求職データが表示される。例えば、検索条件入力欄２１１に求職番号「１３０１０−０００２４０２３」を入力し、検索実行ボタン２１２を選択した場合、表示域２１３には求職者の氏名（フリガナ「キドサブロウ」、漢字「木戸三郎」）のイメージデータと、性別「男」、年齢「３１」、生年月日「１９７１／０３／２１」が表示される。また、表示域２１４には求職者の最終学歴「大学」と、職業訓練（受講済内容、受講希望内容）とが表示される。表示域２１５には、郵便番号と、住所「目白１−１−１」のイメージデータと、最寄駅「目白駅」とが表示される。表示域２１６には、希望条件（就業形態「一般」、仕事「ＳＥ」、勤務地「霞ヶ関」、収入「４０」万円（税込））、とが表示される。表示域２１７には免許資格「情報処理技術者第１種」、表示域２１８には自己アピール情報「明朗です」、表示域２１９にはｅ−ｍａｉｌアドレス「ｋｉｄｏ＠ｘｘ．ｃｏｍ」、表示域２２０には過去求職番号「（空白）」が表示される。例えば、過去求職番号が空白の場合、当該求職データは求職データ受理サーバ３０を介して初めて登録された場合等を示す。
【００３９】
図１２は、本発明の一実施例に係る求職データ表示処理を説明するためのフローチャート図である。図１２において、ステップＳ３０の処理で、求職データ受理装置２０の求職データ表示処理部２８により表示された検索画面から求職番号が入力される。ステップＳ３１の処理で、入力された求職番号に基づいてホストコンピュータ２５の求職データＤＢ２６から所定の求職データが検索される。ステップＳ３２の処理で、求職番号又は過去の求職番号に基づいてイメージデータリンク処理部２９によりイメージデータＤＢ２７に設定されているイメージデータの識別子をテーブル２６０の住所氏名イメージデータ識別子情報２６２に設定することによって、求職データとイメージデータとをリンクさせる。ステップＳ３３の処理で、氏名、住所のイメージデータを含む検索結果を求職データ受理装置２０の画面に表示する。
【００４０】
これにより、本発明の第１実施例では、求職者側端末から送信された求職データに基づいて、過去の求職データを検索し、過去の求職データを識別する識別子を設定して求職データを管理することができる。また、過去の求職データがある場合、求職データに関連付けて管理されたイメージデータを識別する識別子を格納して求職データを管理することができる。従って、ネットワークを介して求職者端末４０ａ〜４０ｎから送信された求職データを、過去に登録したイメージデータを援用して求職データ受理装置に登録することができる。
【００４１】
また、直筆イメージの有無を判断し、判断結果に基づいて直筆イメージ無しを示す識別子を求職データに設定することにより、過去の求職データの有無を識別することができる。
【００４２】
また、直筆イメージ無を示す識別子が求職データに設定された場合、求職データによって示される電子メールアドレスへ直筆イメージが無いことを示す電子メールを送信することにより、求職者へ求職データの直筆イメージが無いことを通知することができる。
【００４３】
本発明の第２実施例では、求職番号に基づいて登録された求職データを検索すると共に、対応するイメージデータを検索して該求職データとリンクさせ、求職データとイメージデータとを表示することができる。
【００４４】
また、本発明の第２実施例では、求職データ受理装置２０にて求職データ受理サーバ３０から取得した求職データを表示させる際に求職データとイメージデータとを関連付けることができる。例えば、ネットワーク１を介して求職者が求職者側端末４０ａ〜４０ｎにより求職データを初めて登録し、求職者が直接求職データ受理装置２０を有する公共職業安定所に出向いてイメージデータを登録した場合においても（図１１に示すように過去求職番号が空白となるが）、イメージデータと共に求職データを検索した検索結果画面を表示させることができる。
【００４５】
尚、上記求職者端末４０ａ〜４０ｎは図１、図１０に示すようにパーソナルコンピュータに限定されることなく、携帯電話等の移動体情報端末で求職データを登録するようにしてもよい。
【００４６】
尚、上記イメージデータは、求職者の氏名、住所のみでなく、他の求職データをイメージ化して管理するようにしてもよい。
（付記１）  求職者により登録された求職データを管理する求職データ管理方法であって、
上記求職者に関する求職データを管理する求職データ管理手順と、
上記求職者の直筆をイメージ化した直筆イメージを管理する直筆イメージ管理手順と、
上記求職データに上記直筆イメージを識別する識別子を対応させて登録する登録手順とを有することを特徴とする求職データ管理方法。
（付記２）  上記登録手順は、上記直筆イメージの有無を判断する判断手順と、上記判断手順による判断結果に基づいて、上記直筆イメージ無しを示す識別子を上記求職データに設定する設定手順とを有することを特徴とする付記１記載の求職データ管理方法。
（付記３）  上記設定手順により上記直筆イメージ無を示す識別子が上記求職データに設定された場合、上記求職データによって示される電子メールアドレスへ直筆イメージが無いことを示す電子メールを送信する送信手順を有することを特徴とする付記２記載の求職データ管理方法。
（付記４）  更に、所定の求職データに対応する上記直筆イメージを検索し、検索結果に基づいて上記直筆イメージと上記求職データとを表示させる求職データ表示手順を有することを特徴とする付記１乃至３いずれか一項記載の求職データ管理方法。
（付記５）  上記判断手順は、過去の求職データの有無を判断することによって上記直筆イメージの有無を判断することを特徴とする付記２記載の求職データ管理方法。
（付記６）  上記直筆イメージは、上記求職者の直筆の氏名、住所であることを特徴とする付記１乃至５いずれか一項記載の求職データ管理方法。
（付記７）  求職者により登録された求職データを管理する求職データ管理方法における処理をコンピュータに行なわせるためのプログラムであって、
上記求職者に関する求職データを管理する求職データ管理手順と、
上記求職者の直筆をイメージ化した直筆イメージを管理する直筆イメージ管理手順と、
上記求職データに上記直筆イメージを識別する識別子を対応させて登録する登録手順とを有することを特徴とするプログラム。
（付記８）  求職者により登録された求職データを管理する求職データ管理方法における処理をコンピュータに行なわせるためのプログラムを格納した記憶媒体であって、
上記求職者に関する求職データを管理する求職データ管理手順と、
上記求職者の直筆をイメージ化した直筆イメージを管理する直筆イメージ管理手順と、
上記求職データに上記直筆イメージを識別する識別子を対応させて登録する登録手順とを有することを特徴とするプログラムを格納した記憶媒体。
（付記９）  複数の求職者により登録された求職データを管理する求職データ管理システムであって、
上記複数の求職者から送信された求職データを一元管理する求職データ管理サーバと、
上記求職データ管理サーバから求職者の求職データを取得することによって、上記求職データを受理する複数の求職データ受理装置とを有し、
各上記求職データ受理装置は、
取得した上記求職データを管理する求職データ管理手段と、
上記求職者の直筆をイメージ化した直筆イメージを管理する直筆イメージ管理手段と、
上記求職データに前記直筆イメージを識別する識別子を対応させて登録する登録手段とを有することを特徴とする求職データ管理システム。
【００４７】
【発明の効果】
上述の如く本発明によれば、求職者が登録した求職データを取得し、求職者の直筆をイメージ化した直筆イメージを管理すると共に、求職データに直筆イメージを識別する識別子を対応させて登録することにより、過去に登録したイメージデータを援用し、ネットワークを介して求職データを登録することができる。
【図面の簡単な説明】
【図１】本発明の第１実施例に係る求職データ管理方法におけるシステム構成図である。
【図２】求職者側端末に表示される画面例を示す図である。
【図３】求職データ受理サーバの求職データＤＢに格納されるテーブルを示す図である。
【図４】ホストコンピュータの求職データＤＢに格納されるテーブルを示す図である。
【図５】イメージデータＤＢに格納されるイメージデータ例を示す図である。
【図６】求職データ受理装置に表示される画面例を示す図である。
【図７】求職データ管理処理を説明するためのフローチャート図である。
【図８】求職データ管理処理を説明するためのフローチャート図である。
【図９】求職データ管理処理を説明するためのフローチャート図である。
【図１０】本発明の第２実施例に係る求職データ管理方法におけるシステム構成図である。
【図１１】求職データ受理装置に表示される画面例を示す図である。
【図１２】求職データ表示処理を説明するためのフローチャート図である。
【符号の説明】
１          ネットワーク
１０、１００          求職データ管理システム
２０          求職データ受理装置
１１          インストーラ
１２          表示制御処理部
１３          通信制御処理部
１４          入出力制御処理部
２１          求職データ取得処理部
２２          イメージデータ援用処理部
２３          求職データ登録処理部
２４          通知処理部
２５          ホストコンピュータ
２６、３５          求職データＤＢ
２７          イメージデータＤＢ
２８          求職データ表示処理部
２９          イメージデータリンク処理部
３０          求職データ受理サーバ
３１          求職データ受信処理部
３２          判断処理部
３３          受理番号発番処理部
３４          求職データ受理処理部
４０ａ〜４０ｎ          求職者側端末
【図１】
0003971633.tif 000002
【図２】
0003971633.tif 000003
【図３】
0003971633.tif 000004
【図４】
0003971633.tif 000005
【図５】
0003971633.tif 000006
【図６】
0003971633.tif 000007
【図７】
0003971633.tif 000008
【図８】
0003971633.tif 000009
【図９】
0003971633.tif 000010
【図１０】
0003971633.tif 000011
【図１１】
0003971633.tif 000012
【図１２】
0003971633.tif 000013